(57)【要約】【課題】かご内の混雑状況に応じて空調機を制御することで、かご内の快適性の低下を防止することができるエレベータの空調装置を得る。【解決手段】かごに設けられてかご内の空調を行う空調機１と、かご内の温度および湿度を検出する温度・湿度検出部３と、かご内の温度またはかご内の温度および湿度に基づいて空調機１を制御する空調制御装置２と、を備えたエレベータの空調装置であって、かご内の負荷を検出するかご内負荷検出部４をさらに備え、空調制御装置２は、かご内の温度またはかご内の温度および湿度がそれぞれ所定温度および所定湿度以上で、かつかご内の負荷が所定負荷以上である場合に、空調機１の能力を、通常制御時に設定される能力よりも高め、かご内の温度および湿度がそれぞれ所定温度および所定湿度よりも低くなるように空調機１を制御する負荷制御を実行する。【選択図】図１
2010163272.tif 000002
【特許請求の範囲】
【請求項１】
かごに設けられて前記かご内の空調を行う空調機と、
前記かご内の温度を検出する温度検出手段と、
前記かご内の温度に基づいて前記空調機を制御する空調制御手段と、を備えたエレベータの空調装置であって、
前記かご内の負荷を検出するかご内負荷検出手段をさらに備え、
前記空調制御手段は、前記かご内の温度が所定温度以上で、かつ前記かご内の負荷が所定負荷以上である場合に、前記空調機の能力を、通常制御時に前記かご内の温度に基づいて設定される能力よりも高め、前記かご内の温度が前記所定温度よりも低くなるように前記空調機を制御する負荷制御を実行することを特徴とするエレベータの空調装置。
【請求項２】
前記かご内の湿度を検出する湿度検出手段をさらに備え、
前記空調制御手段は、前記かご内の温度および湿度がそれぞれ前記所定温度および所定湿度以上で、かつ前記かご内の負荷が前記所定負荷以上である場合に、前記空調機の能力を、通常制御時に前記かご内の温度および湿度に基づいて設定される能力よりも高め、前記かご内の温度および湿度がそれぞれ前記所定温度および前記所定湿度よりも低くなるように前記空調機を制御することを特徴とする請求項１に記載のエレベータの空調装置。
【請求項３】
前記所定温度、前記所定湿度および前記所定負荷の少なくとも１つを可変設定する第１条件データ可変設定手段をさらに備えたことを特徴とする請求項２に記載のエレベータの空調装置。
【請求項４】
前記空調制御手段は、前記負荷制御を、所定の稼働時間帯において実行することを特徴とする請求項１から請求項３までの何れか１項に記載のエレベータの空調装置。
【請求項５】
前記所定の稼働時間帯を可変設定する第２条件データ可変設定手段をさらに備えたことを特徴とする請求項４に記載のエレベータの空調装置。
【発明の詳細な説明】
【技術分野】
【０００１】
この発明は、空調機によりかご内の空調を行うエレベータの空調装置に関する。
【背景技術】
【０００２】
従来のエレベータの空調装置は、サーモセンサでかご内の温度を検出し、検出された温度に基づいてかごに設けられた空調機を制御することにより、かご内の空調を行っている（例えば、特許文献１参照）。
【先行技術文献】
【特許文献】
【０００３】
【特許文献１】特開平９−７７４２９号公報
【発明の概要】
【発明が解決しようとする課題】
【０００４】
しかしながら、従来技術には、以下のような課題がある。
従来のエレベータの空調装置では、かご内の温度のみに基づいて空調機を制御している。そのため、例えば真夏の暑い日であって、かご内が混雑している場合等には、空調が行われていたとしても、かご内の快適性が低下するという問題があった。
【０００５】
この発明は、上記のような課題を解決するためになされたものであり、かご内の混雑状況に応じて空調機を制御することで、かご内の快適性の低下を防止することができるエレベータの空調装置を得ることを目的とする。
【課題を解決するための手段】
【０００６】
この発明に係るエレベータの空調装置は、かごに設けられてかご内の空調を行う空調機と、かご内の温度を検出する温度検出手段と、かご内の温度に基づいて空調機を制御する空調制御手段と、を備えたエレベータの空調装置であって、かご内の負荷を検出するかご内負荷検出手段をさらに備え、空調制御手段は、かご内の温度が所定温度以上で、かつかご内の負荷が所定負荷以上である場合に、空調機の能力を、通常制御時にかご内の温度に基づいて設定される能力よりも高め、かご内の温度が所定温度よりも低くなるように空調機を制御する負荷制御を実行するものである。
【発明の効果】
【０００７】
この発明に係るエレベータの空調装置によれば、空調制御手段は、かご内の温度が所定温度以上で、かつかご内の負荷が所定負荷以上である場合に、空調機の能力を、通常制御時にかご内の温度に基づいて設定される能力よりも高め、かご内の温度が所定温度よりも低くなるように空調機を制御する負荷制御を実行する。
これにより、かご内の混雑状況に応じて空調機を制御することができ、かご内の快適性の低下を防止することができる。
【図面の簡単な説明】
【０００８】
【図１】この発明の実施の形態１に係るエレベータの空調装置を示すブロック構成図である。
【図２】図１の条件データ記憶部に記憶された負荷制御条件の条件データを例示する説明図である。
【図３】図１の空調制御部の動作を示すフローチャートである。
【図４】図１の条件データ可変設定部の動作を示すフローチャートである。
【発明を実施するための形態】
【０００９】
以下、この発明のエレベータの空調装置の好適な実施の形態につき図面を用いて説明するが、各図において同一、または相当する部分については、同一符号を付して説明する。
【００１０】
実施の形態１．
図１は、この発明の実施の形態１に係るエレベータの空調装置を示すブロック構成図である。
図１において、このエレベータの空調装置は、空調機１と、空調制御装置２（空調制御手段）と、温度・湿度検出部３（温度検出手段、湿度検出手段）と、かご内負荷検出部４（かご内負荷検出手段）と、時間検出部５と、条件データ可変設定部６（第１条件データ可変設定手段、第２条件データ可変設定手段）とを備えている。
【００１１】
空調機１は、エレベータのかご（図示せず）に設けられ、空調制御装置２の制御下でかご内の空調を行う。
温度・湿度検出部３は、かご内に設けられ、かご内の温度および湿度を検出して、かご温度およびかご湿度を空調制御装置２の空調制御部２１（後述する）に出力する。
かご内負荷検出部４は、かごに取り付けられ、かご内の負荷を検出して、かご負荷を空調制御部２１に出力する。ここで、かご内負荷検出部４は、かご内の負荷重量を測定してかご内の負荷を検出してもよいし、かご内に設けられたカメラや通過センサ等を用いてかご内の負荷を検出してもよい。
時間検出部５は、現在時刻を検出して空調制御部２１に出力する。
【００１２】
続いて、空調制御装置２の詳細な構成および機能について説明する。
空調制御装置２は、空調制御部２１と、条件データ記憶部２２とを含んでいる。
空調制御部２１は、温度・湿度検出部３から出力されたかご温度およびかご湿度に基づいて、例えばかご温度およびかご湿度と空調機１の能力とのテーブルに従って空調機１の能力を設定し、空調機１を制御する。
【００１３】
ここで、空調機１の能力とは、設定温度および風量等を指している。また、かご負荷を考慮せず、かご温度およびかご湿度に基づいて空調機１の能力を設定する制御を通常制御と称する。
なお、空調制御部２１は、かご温度およびかご湿度の両方に基づいて空調機１の能力を設定する必要はなく、かご温度のみに基づいて空調機１の能力を設定してもよい。
【００１４】
また、空調制御部２１は、温度・湿度検出部３から出力されたかご温度およびかご湿度がそれぞれ所定温度および所定湿度以上で、かつかご負荷が所定負荷以上である場合に、負荷制御を実行する。負荷制御とは、空調機１の能力を、上記通常制御によって設定される能力よりも高め、かご内が所定温度および所定湿度よりも低くなるように空調機１を制御するものである。負荷制御の具体例としては、通常制御時よりも設定温度を低く設定するとともに、風量を最大に設定するものがある。また、負荷制御の他の例としては、通常制御時よりも設定温度を低くするもの、通常制御時よりも風量を大きくするもの、通常制御時よりも設定温度を低くするとともに、通常制御時よりも風量を大きくするもの等がある。
【００１５】
ここで、空調制御部２１は、時間検出部５から出力された現在時刻に基づいて、上記負荷制御を、所定の稼働時間帯において実行する。
なお、空調制御部２１は、かご温度およびかご湿度がそれぞれ所定温度および所定湿度以上で、かつかご負荷が所定負荷以上である場合に負荷制御を実行する必要はなく、かご温度が所定温度以上で、かつかご負荷が所定負荷以上である場合に負荷制御を実行してもよい。
【００１６】
条件データ記憶部２２は、上記負荷制御を実行する際の条件（負荷制御条件）を定めた条件データ（所定温度、所定湿度、所定負荷および所定の稼働時間帯）を記憶している。条件データ記憶部２２に記憶された負荷制御条件の条件データを図２に例示する。なお、条件データは、例示されたものに限定されず、エレベータの使用状況の変化等に応じて可変設定される。条件データを可変設定する処理については後述する。
また、図２の条件データには、負荷制御機能の有無（オンまたはオフ）についても設定されている。
【００１７】
図２において、かご温度の負荷制御条件は３０℃、かご湿度の負荷制御条件は７０％、かご負荷の負荷制御条件は９０％、稼働時間帯の負荷制御条件は８時から２０時までに設定されている。
すなわち、空調制御部２１は、８時から２０時までの間で、かご温度およびかご湿度がそれぞれ３０℃以上および７０％以上で、かつかご負荷が９０％以上である場合に、負荷制御を実行する。
また、かご温度、かご湿度およびかご負荷の負荷制御条件は、稼働時間帯に応じて複数設定されてもよい。
【００１８】
次に、条件データ可変設定部６の詳細な構成および機能について説明する。
条件データ可変設定部６は、条件データ入力部６１と、条件データ変更部６２とを含んでいる。また、条件データ可変設定部６は、条件データ記憶部２２に記憶された負荷制御条件の条件データ（所定温度、所定湿度、所定負荷および所定の稼働時間帯の少なくとも１つ）を可変設定する。
【００１９】
条件データ入力部６１は、例えばエレベータの管理者等による負荷制御条件の条件データの変更入力を受け付ける。
条件データ変更部６２は、条件データ入力部６１に入力された条件データを受信し、条件データ記憶部２２に記憶された負荷制御条件の条件データを、受信した条件データに変更する。
【００２０】
続いて、図３のフローチャートを参照しながら、この発明の実施の形態１に係る空調制御部２１の動作について詳細に説明する。なお、図３の処理は、所定の時間間隔で繰り返し実行される。
【００２１】
図３において、まず、空調制御部２１は、条件データ記憶部２２に記憶された負荷制御条件の条件データを参照して、負荷制御機能がある（オン状態）か否かを判定する（ステップＳ１）。
【００２２】
ステップＳ１において、負荷制御機能がある（すなわち、Ｙｅｓ）と判定された場合には、空調制御部２１は、負荷制御実行中フラグ（後述する）を参照して、負荷制御が実行中であるか否かを判定する（ステップＳ２）。
【００２３】
ステップＳ２において、負荷制御が実行中でない（すなわち、Ｎｏ）と判定された場合には、空調制御部２１は、時間検出部５からの現在時刻を取得する（ステップＳ３）。
続いて、空調制御部２１は、条件データ記憶部２２に記憶された条件データを参照して、現在時刻が所定の稼働時間帯にあるか否かを判定する（ステップＳ４）。
【００２４】
ステップＳ４において、現在時刻が所定の稼働時間帯にある（すなわち、Ｙｅｓ）と判定された場合には、空調制御部２１は、温度・湿度検出部３からのかご温度およびかご湿度を取得する（ステップＳ５）。
次に、空調制御部２１は、条件データ記憶部２２に記憶された条件データを参照して、かご温度およびかご湿度がそれぞれ所定温度および所定湿度以上であるか否かを判定する（ステップＳ６）。
【００２５】
ステップＳ６において、かご温度およびかご湿度がそれぞれ所定温度および所定湿度以上である（すなわち、Ｙｅｓ）と判定された場合には、空調制御部２１は、かご内負荷検出部４からのかご負荷を取得する（ステップＳ７）。
続いて、空調制御部２１は、条件データ記憶部２２に記憶された条件データを参照して、かご負荷が所定負荷以上であるか否かを判定する（ステップＳ８）。
【００２６】
ステップＳ８において、かご負荷が所定負荷以上である（すなわち、Ｙｅｓ）と判定された場合には、空調制御部２１は、上記通常制御時よりも空調機１の能力を高め、負荷制御を実行する（ステップＳ９）。
次に、空調制御部２１は、負荷制御実行中フラグを立てて（ステップＳ１０）、図３の処理を終了する。
【００２７】
一方、ステップＳ１において、負荷制御機能がない（すなわち、Ｎｏ）と判定された場合、ステップＳ４において、現在時刻が所定の稼働時間帯にない（すなわち、Ｎｏ）と判定された場合、ステップＳ６において、かご温度およびかご湿度がそれぞれ所定温度および所定湿度以上でない（すなわち、Ｎｏ）と判定された場合、ならびにステップＳ８において、かご負荷が所定負荷以上でない（すなわち、Ｎｏ）と判定された場合には、空調制御部２１は、そのまま図３の処理を終了する。
【００２８】
また一方、ステップＳ２において、負荷制御が実行中である（すなわち、Ｙｅｓ）と判定された場合には、空調制御部２１は、温度・湿度検出部３からのかご温度およびかご湿度を取得する（ステップＳ１１）。
続いて、空調制御部２１は、条件データ記憶部２２に記憶された条件データを参照して、かご温度およびかご湿度がそれぞれ所定温度および所定湿度以上であるか否かを判定する（ステップＳ１２）。
【００２９】
ステップＳ１２において、かご温度およびかご湿度がそれぞれ所定温度および所定湿度以上である（すなわち、Ｙｅｓ）と判定された場合には、空調制御部２１は、かご内負荷検出部４からのかご負荷を取得する（ステップＳ１３）。
次に、空調制御部２１は、条件データ記憶部２２に記憶された条件データを参照して、かご負荷が所定負荷以上であるか否かを判定する（ステップＳ１４）。
【００３０】
ステップＳ１４において、かご負荷が所定負荷以上である（すなわち、Ｙｅｓ）と判定された場合には、空調制御部２１は、そのまま図３の処理を終了する。
【００３１】
一方、ステップＳ１２において、かご温度およびかご湿度がそれぞれ所定温度および所定湿度以上でない（すなわち、Ｎｏ）と判定された場合、ならびにステップＳ１４において、かご負荷が所定負荷以上でない（すなわち、Ｎｏ）と判定された場合には、空調制御部２１は、上記負荷制御を停止して、通常制御により空調機１を制御するものとする（ステップＳ１５）。
続いて、空調制御部２１は、負荷制御実行中フラグを解除して（ステップＳ１６）、図３の処理を終了する。
【００３２】
次に、図４のフローチャートを参照しながら、この発明の実施の形態１に係る条件データ可変設定部６の動作について説明する。なお、図４の処理は、例えばエレベータの管理者等による条件データの変更入力があったときに実行される。
【００３３】
図４において、まず、条件データ入力部６１は、例えばエレベータの管理者等による負荷制御条件の条件データの変更入力を受け付ける（ステップＳ２１）。
続いて、条件データ変更部６２は、条件データ入力部６１に入力された条件データを受信し、条件データ記憶部２２に記憶された負荷制御条件の条件データを、受信した条件データに変更して（ステップＳ２２）、図４の処理を終了する。
【００３４】
以上のように、実施の形態１によれば、空調制御手段は、かご内の温度またはかご内の温度および湿度がそれぞれ所定温度および所定湿度以上で、かつかご内の負荷が所定負荷以上である場合に、空調機の能力を、通常制御時にかご内の温度またはかご内の温度および湿度に基づいて設定される能力よりも高め、かご内の温度および湿度がそれぞれ所定温度および所定湿度よりも低くなるように空調機を制御する負荷制御を実行する。
これにより、かご内の混雑状況に応じて空調機を制御することができ、かご内の快適性の低下を防止することができる。
【００３５】
また、空調制御手段は、負荷制御を、所定の稼働時間帯において実行する。そのため、稼働時間帯を短縮して、例えば朝夕のラッシュ時に限って負荷制御を実行することにより、負荷制御による空調機の消費電力の増加を抑制することができる。
【００３６】
また、第１条件データ可変設定手段および第２条件データ可変設定手段は、負荷制御を実行する際の条件を定めた条件データ（所定温度、所定湿度、所定負荷および所定の稼働時間帯）を可変設定する。そのため、例えばエレベータの使用状況の変化に応じて条件データを可変設定することにより、かご内の快適性の低下をよりいっそう防止することができる。
【符号の説明】
【００３７】
１  空調機、２  空調制御装置（空調制御手段）、３  温度・湿度検出部（温度検出手段、湿度検出手段）、４  かご内負荷検出部（かご内負荷検出手段）、６  条件データ可変設定部（第１条件データ可変設定手段、第２条件データ可変設定手段）。
【図１】
2010163272.tif 000003
【図２】
2010163272.tif 000004
【図３】
2010163272.tif 000005
【図４】
2010163272.tif 000006